(57)【要約】  本発明は、哺乳動物の組織２の近くでの利用のための放射線放射装置１であって、前面４及び反対側の背面５を持つ基板３であって、前記基板が、前記前面４上に少なくとも１つの放射線源６を収容する基板３を有する放射線放射装置１に関する。前記少なくとも１つの放射線源６は、前記哺乳動物の組織２にエネルギを加えるよう構成される。前記少なくとも１つの放射線源６と熱的接触する前記基板３の前記背面５上に熱拡散セクション７が配設される。前記熱拡散セクション７は、前記基板３に実質的に平行な方向に前記基板３を越えて延在する拡張領域８を持つ。前記熱拡散セクション７の前記拡張領域８は、前記哺乳動物の組織２と熱的接触して配設される。
2014527878.tif 000002
【特許請求の範囲】
【請求項１】
哺乳動物の組織の近くでの利用のための放射線放射装置であり、
前面及び反対側の背面を持つ基板であって、前記基板が、前記前面上に少なくとも１つの放射線源を収容し、前記少なくとも１つの放射線源が、前記哺乳動物の組織に放射線を当てるよう構成される基板と、
前記少なくとも１つの放射線源と熱的接触する前記基板の前記背面上に配設される熱拡散セクションとを有する放射線放射装置であって、
前記熱拡散セクションが、前記基板に実質的に平行な方向に前記基板を越えて延在する拡張領域を持ち、前記熱拡散セクションの前記拡張領域の少なくとも一部が、前記放射線放射装置が前記哺乳動物の組織の近くに当てられる場合に、前記哺乳動物の組織と熱的接触して配設される装置。
【請求項２】
前記拡張領域の表面積が、前記基板の表面積の少なくとも２５％であり、より好ましくは、前記基板の表面積の少なくとも５０％である請求項１に記載の放射線放射装置。
【請求項３】
少なくとも１つの付加的な電気素子を更に有し、前記少なくとも１つの付加的な電気素子が、前記熱拡散セクションと熱的接触しており、前記付加的な電気素子が、バッテリ、マイクロプロセッサ、又は少なくとも１つの放射線源を駆動するための電子素子から成るグループから選ばれる素子である請求項１に記載の放射線放射装置。 
【請求項４】
前記拡張領域の表面積及び前記哺乳動物の組織と前記拡張領域の熱的接触面積が、更に、前記少なくとも１つの付加的な電気素子によって生成される熱の量に基づいて、必要な大きさにされる請求項４に記載の放射線放射装置。
【請求項５】
前記熱拡散セクションを覆うよう配設される断熱層を更に有する請求項１乃至４のいずれか一項に記載の放射線放射装置。
【請求項６】
前記拡張領域が、前記基板に平行な少なくとも１つの方向に配設される請求項１乃至５のいずれか一項に記載の放射線放射装置。 
【請求項７】
前記拡張領域が、前記基板に平行な全ての方向に配設される請求項１乃至６のいずれか一項に記載の放射線放射装置。
【請求項８】
前記少なくとも１つの放射線源が、ＬＥＤ、白熱灯、ガス放電ランプ及び熱放射素子から成るグループから選ばれる少なくとも１つである請求項１乃至７のいずれか一項に記載の放射線放射装置。
【請求項９】
前記拡張領域が、更に、放射線が前記装置から漏れるのを防止するよう構成される請求項１乃至８のいずれか一項に記載の放射線放射装置。
【請求項１０】
前記拡張領域が、熱伝導性且つ可撓性の材料で作成される請求項１乃至９のいずれか一項に記載の放射線放射装置。
【請求項１１】
前記拡張領域が、軽量な材料で作成される請求項１乃至１０のいずれか一項に記載の放射線放射装置。
【請求項１２】
前記哺乳動物が人間である請求項１乃至１１のいずれか一項に記載の放射線放射装置。
【請求項１３】
哺乳動物の組織の放射の方法であって、
前面及び反対側の背面を持つ基板であって、前記基板が、前記前面上に少なくとも１つの放射線源を収容する基板を供給するステップと、
前記少なくとも１つの放射線源と熱的接触する前記基板の前記背面上に配設される熱拡散セクションであって、前記熱拡散セクションが、前記基板に実質的に平行な方向に前記基板を越えて延在する拡張領域を持つ熱拡散セクションを供給するステップと、
前記哺乳動物の組織に前記少なくとも１つの放射線源から放射線を放射するステップと、
前記少なくとも１つの放射線源から前記熱拡散セクションの前記拡張領域に熱エネルギを拡散するステップと、
前記熱拡散セクションの前記拡張領域の少なくとも一部から前記哺乳動物の組織に熱エネルギを伝導するステップとを有する方法。
【請求項１４】
前記少なくとも１つの放射線源が、光源であり、前記哺乳動物の組織に前記少なくとも１つの放射線源から放射線を放射するステップが、前記哺乳動物の組織に前記少なくとも１つの光源から光線を放射し、熱を放射するステップを有する請求項１３に記載の方法。
【請求項１５】
鎮痛のための、請求項１乃至１１のいずれか一項に記載の放射線放射装置の使用。
【発明の詳細な説明】
【技術分野】
【０００１】
本発明は、哺乳動物の組織の近くでの使用のための放射線又は光線治療装置に関する。より詳細には、本発明は、光源からの余熱の再利用のための熱回収システムを有する光線治療装置に関する。
【背景技術】
【０００２】
ＬＥＤ及び／又はＯＬＥＤを用いる放射又は照明システムが、低い温度においてより良好に動作するだろうことは、知られている。それ故、このような照明システムの各々は、ＬＥＤ及び／又はＯＬＥＤの温度を制限するために冷却システムを持つだろう。
【０００３】
哺乳動物の組織の近くでの利用のための放射線放射装置の使用時には、照射される組織の温度を制御及び制限することが、非常に重要である。一般に、ＬＥＤ及び／又はＯＬＥＤ装置からの余熱に関する熱損失は、受動又は能動冷却、例えば、ファンを備える又は備えないヒートシンクを介して、環境へ移されるだろう。このようなシステムが望ましくない場合には、その代わりに、ＬＥＤ及び／又はＯＬＥＤに入力される電力が、ＬＥＤ及び／又はＯＬＥＤによって生成される熱が、組織の温度を、許容可能なレベルを超えて上昇させないように、制限され得る。
【０００４】
従来技術において提案されている解決策は、全て、例えば、US 6290713において提案されている可撓性照明器のように、ヒートシンキングを用いることによって、放射線放射装置からの熱を環境へ移そうとする。しかしながら、この解決策は、哺乳動物の組織の近くでの利用のための放射線放射装置が、環境への熱放散を制限するだろう衣服の下に、別々に着用される場合の効率性が欠如している。
【０００５】
安全性は、医療装置に関して、非常に重要であり、詳細には、人間の皮膚などの哺乳動物の組織と直接接触して用いられる装置にとっても、非常に重要である。装置の故障の場合に、ユーザ／患者の危険が引き起こされないことが保証されなければならない。
【発明の概要】
【発明が解決しようとする課題】
【０００６】
哺乳動物の組織に安全なようにして装置によって生成される熱を効果的に処理する、哺乳動物の組織の近くでの利用のための光線放射装置を持つことは有利であるだろう。更に、衣服の下で動作させるのに安全である、哺乳動物の組織の近くでの利用のための光線放射装置を達成することも望ましいだろう。
【課題を解決するための手段】
【０００７】
これらの問題の１つ以上により良く対処するために、本発明の第１の態様においては、哺乳動物の組織の近くでの利用のための放射線放射装置であり、前面及び反対側の背面を持つ基板であって、前記基板が、前記前面上に少なくとも１つの放射線源を収容し、前記少なくとも１つの放射線源が、放射線放射領域内の前記哺乳動物の組織に放射線を照射するよう構成される基板と、前記少なくとも１つの放射線源と熱的接触する前記基板の前記背面上に配設される熱拡散セクションとを有する放射線放射装置であって、前記熱拡散セクションが、前記基板に実質的に平行な方向に前記基板を越えて延在する拡張領域を持ち、前記熱拡散セクションの前記拡張領域が、前記放射線放射装置が前記哺乳動物の組織の近くに当てられる場合に、前記哺乳動物の組織と熱的接触して配設される装置が提供される。前記熱拡散セクションは、例えば、平坦な熱拡散セクションであってもよい。なぜなら、哺乳動物の組織の近くでの利用のための放射線放射装置の適切な形状は、多くの場合、平坦であるからである。
【０００８】
前記放射線源は、前記哺乳動物の組織にエネルギを加えることが可能な任意のエネルギ源であり得る。しかしながら、本発明の実施例においては、前記放射線源は、更に光線治療のために用いられる光源である。
【０００９】
本願の文脈においては、「熱的接触する」という用語は、２つのシステムの間で、例えば、前記放射線源と前記熱拡散セクションとの間で、又は前記熱拡散セクションの前記拡張領域と前記哺乳動物の組織との間で、熱エネルギを交換できることを指す。熱的接触は、必ずしも、前記システムが直接的な物理的接触をしていることを必要とせず、例えば、前記システムの間に配置される熱伝導材料があってもよい。熱的接触は、前記２つのシステムの間の伝熱のための好ましい経路を確立する。
【００１０】
従って、前記哺乳動物の組織、例えば、人間の皮膚に放射線を照射する放射線放射領域と、前記放射線放射領域を少なくとも部分的に囲む暗がり領域であって、前記暗がり領域に前記熱拡散セクションの前記拡張領域が延在する暗がり領域とを持つ放射線放射装置が示されている。前記熱拡散セクションは、前記放射線放射領域から、拡張領域、即ち、前記装置の、前記皮膚の近くの前記暗がり領域へ熱損失及び余熱を移動させる。前記暗がり領域、好ましくは、それのかなりの部分における前記皮膚と前記熱拡散セクションの拡張領域の熱的接触は、効果的に、「熱い」領域、即ち、熱が生成される前記放射線放射領域から熱を取り除き、「冷たい」領域、即ち、前記熱拡散セクションが前記拡張領域を介して延在する、前記放射線放射装置の前記暗がり領域において前記熱を再利用する。前記放射線源が光源である場合、前記放射線放射領域は、光線放射領域と呼ばれてもよく、「前記熱拡散セクションが、前記基板を越えて延在する拡張領域を持つ」という表現は、「前記熱拡散セクションが、前記光線放射領域を越えて前記暗がり領域に延在する拡張領域を持つ」とも書かれ得る。動作中、前記放射線放射領域において機能性放射線と余熱との両方を生成する前記放射線源によって、前記ユーザは、前記放射線放射装置のより大きな領域にわたって、より一様な熱分布を経験し、それによって、前記皮膚における熱の治療効果を増大させるだろう。好ましい実施例においては、前記熱拡散セクションの前記拡張領域は、前記光線放射領域のサイズの少なくとも２５％のサイズを持つ。これは、前記光線放射領域のまわりの周辺領域における前記哺乳動物の組織への知覚可能な伝熱を保証する。より好ましい実施例においては、前記熱拡散セクションの前記拡張領域のサイズは、前記光線放射領域のサイズの少なくとも５０％又は少なくとも１００％である。大きなサイズの拡張領域は、実質的に、前記哺乳動物の組織に対する更なる伝熱に寄与し、実質的に、前記放射線放射装置の動作領域を、前記光線放射領域を越えて拡張する。
【００１１】
かなりの量の熱が前記放射線又は光線放射領域から取り除かれることができることから、単位面積当たりの強度又はルーメンに関してより高い放射線出力が、実質的に前記皮膚の温度を安全動作範囲外に増大させずに、利用されることができる。放射線出力が高ければ高いほど、より効果的な治療処置をもたらし、更なる余熱が、効果的に、取り除かれ、周囲の皮膚を暖めるために再利用され、これは、更に、治療用治癒放射線波長が温熱刺激との組み合わせにおいてより効果的であるので、相乗効果を供給する。放射線治療装置における余熱の再利用は、治療用治癒波長に続く暖かさが筋肉に鎮痛及びリラックス効果を与える鎮痛のためのアプリケーションにおいて特に有利である。
【００１２】
前記放射線放射装置は、少なくとも１つの付加的な電気素子を更に有してもよく、前記少なくとも１つの付加的な電気素子も、前記熱拡散セクションと熱的接触する。その方法においては、電子回路からの余熱も再利用され得る。従って、熱の再利用の前述の利点は、前記放射線放射装置内の他の電子素子との組み合わせにおいても達成される。
【００１３】
前記熱拡散セクション及び前記熱拡散セクションの前記拡張領域はまた、故障（例えば、電子回路又はバッテリにおける短絡）が生じた場合、熱放散が、大きな表面積にわたって拡散し、温度上昇の速度を落とさせ、身体から前記装置を取り除くための十分な時間をユーザに与えるという事実により、前記装置を本質的に安全にし得る。前記熱は、前記装置の後部ではなく、前記身体に向けられることから、前記ユーザは、ユーザが前記装置の上に着用し得る衣服で如何なる火災の危険も生じる前に、素早く故障を感じるだろう。 
【００１４】
前記付加的な電気素子は、バッテリ、マイクロプロセッサ、及び放射線放射装置に役立つ任意の他の電気機器から成るグループから選ばれる素子であり得る。
【００１５】
前記放射線放射装置は、周囲雰囲気への熱損失が最小限にされるように前記熱拡散セクションを覆うよう配設される断熱層を更に有してもよい。その方法においては、前記放射線源及び他の電子回路からのエネルギ損失は、可能な限り高い程度まで再利用される。それはまた、前記装置を着用する人が、前記放射線放射装置を覆う衣服を身につけているかどうかを、前記装置の機能と無関係にする。これは、前記ユーザの日常生活において有利である。なぜなら、前記ユーザは、様々な状況において、例えば、寒く、暖かい衣服が必要とされるときに外出する場合に、又は怪我を治している人にとっては頻繁であり得る、ベッドに行く又はベッドから出る場合に、服を着る又は服を脱ぐときに、前記装置又は前記装置の動作について心配する必要がないからである。前記断熱層は、織物、又は発泡体、又は可撓性であり、且つ使用するのに快適である任意の適切な断熱材料で作成され得る。
【００１６】
前記熱拡散セクションの前記拡張領域は、或る特定の方向に前記基板を越えて延在してもよく、又は前記拡張領域は、全方向に前記基板を越えて延在し、それによって、前記放射線又は光線放射領域を完全に囲んでもよい。
【００１７】
前記哺乳動物の組織と前記拡張領域の接触は、放射線が前記基板に平行な少なくとも１つの方向において前記装置から漏れるのを防止するよう整えられ得る。前記装置からの放射線の漏れは、更に、前記基板に平行な全方向において防止され得る。放射線の漏れは、ユーザにとって迷惑であるかもしれず、又は前記放射線又は光線治療がＵＶ及び／又はＩＲ領域において実施される場合には前記ユーザ又は他の人にとって危険でもあり得る。前記装置の不連続使用も容易になる。 
【００１８】
前記放射線放射装置の前記放射線源は、ＬＥＤ、白熱灯及び／又はガス放電ランプであり得る。前記放射線源は、哺乳動物の組織において放射線を用いる治療装置における使用に適した任意の放射線源であり得る。ＬＥＤは、前記装置のバッテリ時間を改善し、拡散され、前記放射線源から遠くへ導く必要がある余熱の量を減らす前記ＬＥＤの低電力使用量により、好ましい。或る実施例においては、ＬＥＤは、アレイのピッチと呼ばれる隣接ＬＥＤ間の規則正しい距離によって特徴づけられる二次元アレイに配設される。その場合、前記放射線又は光線放射領域は、前記アレイによって覆われる連続的な領域であるとみなされてもよく、ここで、この連続的な領域は、周縁ＬＥＤをピッチの半分の距離越えて延在する。 
【００１９】
高出力放射線源又は電力を消費する付加的な電子素子がある場合には、前記拡張領域の表面積及び前記哺乳動物の組織と前記拡張領域の熱的接触領域が、これらの素子から生成され、前記熱拡散セクションによって拡散される付加的な熱の量の関数として増大され得る。従って、前記熱拡散セクションの面積は、用いられる前記電子回路及び放射線源に十分な熱拡散効果を供給するよう選ばれる。例えば、白熱放射線源の使用により、前記装置においてより多くの電力が用いられる場合には、前記熱拡散セクションの面積はより大きくなるかもしれず、従って、前記装置はより大きくなり得る。
【００２０】
前記放射線放射装置の前記拡散領域は、熱伝導性且つ可撓性の材料で作成され得る。その場合、前記熱拡散セクション及び前記装置は、身体の輪郭に沿って、例えば腕に、巻き付けられてもよく、これは、前記装置の着心地の良さを増大させ、同時に、前記放射線源及び前記電子素子からの熱を拡散するために用いられる前記哺乳動物の組織との接触面積を増大させる。前記拡張領域は、更に、ユーザ体験を改善するために軽量な材料で作成されてもよく、これは、前記装置の（付加的な）重量に対する前記ユーザの意識を減らし、従って、前記装置の着心地の良さを増大させる。
【００２１】
前記放射線放射装置は、任意の哺乳動物、例えば人間に用いられ得る。しかしながら、放射線治療で治療される如何なる哺乳動物に対して前記装置が用いられる場合でも、同じ効果及び前記利点のほとんどが得られる。
【００２２】
本発明の他の態様においては、哺乳動物の組織の放射の方法であって、前記哺乳動物の組織に、少なくとも１つの放射線源から放射線が照射され、前記少なくとも１つの放射線源からの熱エネルギが、熱拡散セクションの拡張領域に拡散され、前記熱拡散セクションの前記拡張領域の少なくとも一部から前記哺乳動物の組織に熱伝導される方法が提供される。好ましい実施例においては、前記放射線源は、光線と熱との両方を前記哺乳動物の組織に放射する光源である。 
【００２３】
上記の光線放射装置の特徴による利点は、この段落に記載の方法に当てはまり、とりわけ、熱拡散領域の増大、余熱の再利用の最大化、及び放射線治療の処置領域（即ち、哺乳動物の組織の効果的に治療される領域）の拡大を含む。
【００２４】
本発明は、請求項において列挙されている特徴の全てのあり得る組み合わせに関することに注意されたい。
【００２５】
以下の、例示的且つ非限定的な、本発明の好ましい実施例の詳細な説明を参照することで、添付の図面と共に解釈される場合、本発明の、上記の目的、並びに更なる目的、特徴及び利点が、より完全に理解されるだろう。
【図面の簡単な説明】
【００２６】
【図１】本発明の実施例による放射線放射装置の断面図を示す。
【図２】本発明の実施例による放射線放射装置の上面図を示す。
【発明を実施するための形態】
【００２７】
図に図示されているような、層及び領域のサイズは、説明の目的のために誇張されており、従って、本発明の実施例の全体構造を図示するよう供給されている。同様の参照符号は、全体を通して、同様の要素を指す。
【００２８】
以下、本発明の現在好ましい実施例が示されている添付図面を参照して、本発明をより詳細に説明する。しかしながら、本発明は、多くの異なる形態で実施されてもよく、本願明細書に記載されている実施例に限定されるものとして解釈されるべきではない。これらの実施例は、むしろ、当業者に本発明の範囲を十分に伝えるために、並びに徹底及び完全のために、供給される。
【００２９】
図１は、本発明の第１実施例による放射線放射装置１の概略図である。
【００３０】
放射線放射ダイオード、ＬＥＤ６のアレイが、可撓性ＰＣＢ（例えば、カプトン・ホイル）又は電子織物などの可撓性基板上に配設される。ＬＥＤ６によって放射される放射線は、フォトニック治療のために、哺乳動物の組織２の方へ向けられる。従って、放射線放射装置は、直接照明システムとして動作するよう構成される。ＬＥＤ６を支持するための、穴であって、その中には空気がある穴を持つスペーサ１１によって、ＬＥＤ６と、哺乳動物の組織２との間の一定の距離が確保される。スペーサは、ＬＥＤ６と皮膚２との間の距離を保つことに加えて、哺乳動物の組織２におけるソフトタッチを持つ。これらの機能の両方を組み合わせるために、三次元可撓性発泡体が用いられ得る。 
【００３１】
ＬＥＤ６は、光線の形態の放射線に続いて、熱も生成し、前記熱のうちの或る一定量は、光線と共に、哺乳動物の組織２の方向に放射される。それ故、動作中、ユーザは、哺乳動物の組織２の、ＬＥＤアレイサイズに面する第１治療領域にわたって、光線及び熱の放射にさらされる。この領域は、上で言及した放射線又は光線放射領域とみなされ得る。
【００３２】
熱拡散セクション７が、ＬＥＤ基板の背面に配置され、余熱（即ち、哺乳動物の組織２へ直接放射によって伝達されない熱）をＬＥＤ６から取り除く。図１及び図２に示されている熱拡散セクションは、実質的に、ＬＥＤアレイのサイズより大きく、拡張領域８は、ＬＥＤアレイの周囲の少なくとも一部（例えば、アレイの左側側部及び右側側部）に沿って哺乳動物の組織２の方へ曲げられる。熱拡散セクション７の拡張領域８は、哺乳動物の組織２と熱的接触している。従って、ＬＥＤ６から取り除かれる熱は、熱拡散セクションを介して横に伝えられ、哺乳動物の組織２の方へ伝えられる、又は放射される。図１においては、熱拡散セクション７の拡張領域８と哺乳動物の組織２との間に薄い層が配設され、前記層は、例えば、上述のスペーサと同じ材料及び構造のもの（例えば、ＬＥＤスペーサと同様の外観及び感触並びに同様の表面構造を備える、多数の窪み又は穴を持つ薄い発泡層）であってもよい。従って、熱拡散セクション７は、（主要）放射線又は光線放射領域を部分的に囲む（付加的な）熱放射領域で、（主要）放射線又は光線放射領域を拡張する。熱拡散セクション７は、任意の既知の熱伝導基板又はホイル材料から製造され得る。
【００３３】
図１及び図２は、バッテリ９、ＬＥＤ６を駆動するための制御装置及び電子回路を備えるＰＣＢ１０、並びに織物及び発泡材料をベースにしていてもよい全体カバー又はエンベロープなどの、装置の他の構成要素も示している。
【００３４】
図１に示されている実施例は、例えば、暖かさが治療効果のかなりの部分を供給し得る、鎮痛に適した可撓性放射線放射装置であり得る。
【００３５】
薄い熱伝導基板５を用いることによって、依然として、可撓性且つ軽量であり、それ故、着心地の良い装置を供給しながら、治療領域が実質的に拡大されるような熱拡散セクションが設計されることができる。 
【００３６】
本発明の実施例による装置１はまた、余熱が効果的に再利用されるという利点に加えて、周囲雰囲気への損失が最小限であるだろう。これは、衣服などの下に着用される治療装置として用いられる場合に、とりわけ有利である。
【００３７】
本発明の更なる利点は、熱拡散セクション７が、（例えば、短絡による）小さな領域内の不慮の熱の種を大きな領域にわたって拡散させ、それによって、皮膚のやけどを防止する、装置内の保護層としても動作し得ることである。
【００３８】
本発明を、図面において図示し、上記の説明において詳細に説明しているが、このような図及び説明は、説明的なもの又は例示的なものとみなされるべきであって、限定するものとみなされるべきではない。本発明は、開示されている実施例に限定されない。
【００３９】
例えば、放射線源に加えて、又は放射線源に代えて、複数の熱源（抵抗器、白熱灯、ダイオードなど）が用いられる実施例において、本発明を動作させることは可能である。このような装置は、鎮痛のために有利に用いられ得る。ここで、熱の鎮痛効果が、哺乳動物の組織２にリラクセーションを供給する。 
【００４０】
当業者は、哺乳動物の組織に熱エネルギを加えるために、哺乳動物の組織の上に配置される、又は哺乳動物の組織に侵入しさえする直接熱的接触装置又は電極を用いることも可能であることも理解する。本発明の発明の概念は、放射線源の代わりに、哺乳動物の組織を加熱するための任意の他の手段を用いるものにも適用される。
【００４１】
請求項に記載の発明を実施する当業者は、図面、明細及び添付の請求項の研究から、開示されている実施例に対する他の変形を、理解し、達成し得る。請求項において、「有する」という用語は、他の要素又はステップを除外せず、単数形表記は、複数の存在を除外しない。請求項において列挙されている幾つかのアイテムの機能を単一のプロセッサ又は他のユニットが実現してもよい。単に、特定の手段が、相互に異なる従属請求項において引用されているという事実は、これらの手段の組み合わせが有利になるように用いられることができないことを示すものではない。請求項におけるいかなる参照符号も、範囲を限定するものとして解釈されてはならない。
【図１】
2014527878.tif 000003
【図２】
2014527878.tif 000004
【国際調査報告】
2014527878.tif 000005
2014527878.tif 000006
2014527878.tif 000007
2014527878.tif 000008